(57)【要約】【課題】濯ぎ性に優れた衣料用液体洗浄剤組成物を提供する。【解決手段】本発明は、下記（Ａ）成分、（Ｂ）成分及び（Ｃ）成分を含有することを特徴とする衣料用液体洗浄剤組成物である。（Ａ）下記一般式（Ｉ）で表されるエチレンオキサイド付加体であって、エチレンオキサイドの付加モル数が異なるエチレンオキサイド付加体の分布の割合を示すナロー率が５５質量％以上のエチレンオキサイド付加体、（Ｂ）半極性界面活性剤及び／または両性界面活性剤、（Ｃ）キレート剤。［化１］2007224199.tif 000010［式中、Ｒ１は炭素数７〜２１の直鎖状もしくは分岐鎖状のアルキル基またはアルケニル基であり；Ｒ２は炭素数１〜３のアルキル基であり；ｎはエチレンオキサイドの平均付加モル数を示し、５〜３０である。］【選択図】なし【特許請求の範囲】
【請求項１】
下記（Ａ）成分、（Ｂ）成分及び（Ｃ）成分を含有することを特徴とする衣料用液体洗浄剤組成物。
（Ａ）下記一般式（Ｉ）
【化１】
2007224199.tif 000009
［式中、Ｒ１は炭素数７〜２１の直鎖状もしくは分岐鎖状のアルキル基またはアルケニル基であり；Ｒ２は炭素数１〜３のアルキル基であり；ｎはエチレンオキサイドの平均付加モル数を示し、５〜３０である。］
で表されるエチレンオキサイド付加体であって、エチレンオキサイドの付加モル数が異なるエチレンオキサイド付加体の分布の割合を示すナロー率が５５質量％以上のエチレンオキサイド付加体、
（Ｂ）半極性界面活性剤及び／または両性界面活性剤、
（Ｃ）キレート剤。
【請求項２】
前記（Ｃ）成分は１−ヒドロキシエタン−１，１−ジホスホン酸及び／またはその塩を含む請求項１記載の衣料用液体洗浄剤組成物。
【発明の詳細な説明】
【技術分野】
【０００１】
本発明は、衣料用液体洗浄剤組成物に関する。
【背景技術】
【０００２】
衣料用液体洗浄剤組成物には、従来、主な洗浄成分としてノニオン界面活性剤や、ノニオン界面活性剤とアニオン界面活性剤を併用したもの等が使用されている。
【０００３】
前記ノニオン界面活性剤としては、一般的に、ポリオキシアルキレンアルキルエーテル、ポリオキシアルキレンアルキルアリルエーテル、アルキルグリコシド等が用いられている。
また、近年では、エステル型ノニオン界面活性剤である脂肪酸ポリオキシアルキレンアルキルエーテルが、洗浄成分として使用された洗浄剤組成物が提案されている。
【０００４】
脂肪酸ポリオキシアルキレンアルキルエーテルが使用された洗浄剤組成物としては、例えば、水性界面活性剤系（製剤）の粘度を低下させるためにアルコキシル化カルボン酸エステル（脂肪酸ポリオキシアルキレンアルキルエーテル）が使用された製剤が提案されている（特許文献１参照）。
また、洗浄剤組成物の液体表面のゲル化による皮膜の形成が防止された、低分子のグリコール類やポリオキシアルキレンエーテル等の親水性有機化合物と酵素を含有した液体洗浄剤組成物（特許文献２参照）や、アニオン界面活性剤とハイドロトロープ剤を含有した液体洗浄剤組成物（特許文献３参照）等が提案されている。
また、アニオン界面活性剤を併用し、洗浄力及び起泡力に優れた洗浄剤組成物（特許文献４参照）、ポリオキシアルキレンアミンを併用し、少量の界面活性剤量（低濃度）でも高い洗浄性能を有しながら、黄変を引き起こさない衣料用液体洗浄剤組成物（特許文献５参照）等が提案されている。
【特許文献１】特表２００２−５２６５９９号公報
【特許文献２】特開２０００−１９２０９９号公報
【特許文献３】特開平５−２０２３８１号公報
【特許文献４】特開２０００−１４４１７９号公報
【特許文献５】特開２００５−１７１１９５号公報
【発明の開示】
【発明が解決しようとする課題】
【０００５】
一方、衣料用液体洗浄剤組成物には、従来から高い洗浄力が求められている。さらに、近年では、泡切れが早い等の濯ぎ性が良好であることも求められるようになってきている。
しかしながら、特許文献１〜５に記載の洗浄剤組成物においては、濯ぎ性が充分に満足できるものではない。
そこで、本発明においては、濯ぎ性に優れた衣料用液体洗浄剤組成物を提供することを課題とする。
【課題を解決するための手段】
【０００６】
前記課題を解決するために、本発明においては、下記（Ａ）成分、（Ｂ）成分及び（Ｃ）成分を含有することを特徴とする衣料用液体洗浄剤組成物を提案する。
（Ａ）下記一般式（Ｉ）で表されるエチレンオキサイド付加体であって、エチレンオキサイドの付加モル数が異なるエチレンオキサイド付加体の分布の割合を示すナロー率が５５質量％以上のエチレンオキサイド付加体、
（Ｂ）半極性界面活性剤及び／または両性界面活性剤、
（Ｃ）キレート剤。
【０００７】
【化１】
2007224199.tif 000002
［式中、Ｒ１は炭素数７〜２１の直鎖状もしくは分岐鎖状のアルキル基またはアルケニル基であり；Ｒ２は炭素数１〜３のアルキル基であり；ｎはエチレンオキサイドの平均付加モル数を示し、５〜３０である。］
【０００８】
また、本発明の衣料用液体洗浄剤組成物において、前記（Ｃ）成分は１−ヒドロキシエタン−１，１−ジホスホン酸及び／またはその塩を含むことが好ましい。
【０００９】
ここで、本明細書および特許請求の範囲において「エチレンオキサイドの付加モル数が異なるエチレンオキサイド付加体の分布の割合を示すナロー率」とは、下記の数式（Ｓ）で表されるものを示す。
【００１０】
【数１】
2007224199.tif 000003
［式中、ｎｍａｘは全体のエチレンオキサイド付加体中に最も多く存在するエチレンオキサイド付加体のエチレンオキサイドの付加モル数を示す。ｉはエチレンオキサイドの付加モル数を示す。Ｙｉは全体のエチレンオキサイド付加体中に存在するエチレンオキサイドの付加モル数がｉであるエチレンオキサイド付加体の割合（質量％）を示す。］
【発明の効果】
【００１１】
本発明によれば、濯ぎ性に優れた衣料用液体洗浄剤組成物を提供することができる。
【発明を実施するための最良の形態】
【００１２】
本発明の衣料用液体洗浄剤組成物は、（Ａ）前記一般式（Ｉ）で表されるエチレンオキサイド付加体であって、エチレンオキサイドの付加モル数が異なるエチレンオキサイド付加体の分布の割合を示すナロー率が５５質量％以上のエチレンオキサイド付加体と、（Ｂ）半極性界面活性剤及び／または両性界面活性剤と、（Ｃ）キレート剤を含有するものである。
以下、各成分について詳述する。
【００１３】
（Ａ）成分
本発明において、（Ａ）成分は、前記一般式（Ｉ）で表されるエチレンオキサイド付加体であって、エチレンオキサイドの付加モル数が異なるエチレンオキサイド付加体の分布の割合を示すナロー率が５５質量％以上のエチレンオキサイド付加体である。
前記ナロー率は、好ましくは６５質量％以上である。ナロー率は高いほど好ましいが、上限値としては実質的には８０質量％以下である。ナロー率が５５質量％以上であることにより濯ぎ性が向上する。
【００１４】
前記ナロー率は、例えば該（Ａ）成分の製造方法等によって制御することができる。
（Ａ）成分の製造方法としては、特に制限されるものではないが、好適な方法としては、例えば表面改質された複合金属酸化物触媒を用いて、脂肪酸アルキルエステルに酸化エチレンを付加重合させる方法（前記特許文献４参照）が挙げられる。
係る表面改質された複合金属酸化物触媒の好適なものとしては、具体的には、金属水酸化物等により表面改質された、金属イオン（Ａｌ３＋、Ｇａ３＋、Ｉｎ３＋、Ｔｌ３＋、Ｃｏ３＋、Ｓｃ３＋、Ｌａ３＋、Ｍｎ２＋等）が添加された酸化マグネシウム等の複合金属酸化物触媒や、金属水酸化物及び／または金属アルコキシド等により表面改質されたハイドロタルサイトの焼成物触媒等である。
また、前記複合金属酸化物触媒の表面改質においては、複合金属酸化物と、金属水酸化物及び／または金属アルコキシドとの混合割合を、複合金属酸化物１００質量部に対して、金属水酸化物及び／または金属アルコキシドの割合を０．５〜１０質量部とすることが好ましく、１〜５質量部とすることがより好ましい。
【００１５】
前記一般式（Ｉ）中、Ｒ１は、炭素数７〜２１の直鎖もしくは分岐鎖状のアルキル基またはアルケニル基である。
Ｒ１において、アルキル基、アルケニル基の炭素数は、皮脂汚れや泥汚れ等に対する洗浄力向上の点から、９〜１７であることがそれぞれ好ましい。
Ｒ２は、炭素数１〜３のアルキル基であり、好ましくはメチル基である。
ｎは、エチレンオキサイドの平均付加モル数を示し、５〜３０である。好ましくは、皮脂汚れや泥汚れ等に対する洗浄力や、衣料用液体洗浄剤組成物の液安定性（例えば、低温
での経時安定性等）の向上の点から７〜２０である。
本発明に用いられる（Ａ）成分は、前記ナロー率が高いものである。また、該（Ａ）成分は、その分子構造において、親水基が分子の末端には存在せず（末端封鎖型であり）、かつ極性の高いカルボニル基をその分子中に有する。
これらにより、係る（Ａ）成分は、水溶液系中で分子どうしの配向性が弱く、ミセルが不安定なノニオン界面活性剤であることが推測され、濯ぎ性の向上に寄与していると考えられる。
【００１６】
（Ａ）成分は、１種または２種以上混合して用いることができる。
（Ａ）成分の含有量は、衣料用液体洗浄剤組成物中、好ましくは１０〜５０質量％であり、より好ましくは２０〜４０質量％である。（Ａ）成分の含有量がこの範囲にあると、良好な濯ぎ性が得られる。また、皮脂汚れや泥汚れ等に対する洗浄力や衣料用液体洗浄剤組成物の液安定性（特に低温での経時安定性等）が向上する。さらに、該範囲の上限値以下であることにより濯ぎ性がより向上する。
【００１７】
（Ｂ）成分
本発明において、（Ｂ）成分は、半極性界面活性剤及び／または両性界面活性剤である。
半極性界面活性剤としては、例えば、下記一般式（ＩＩ）で表されるアミンオキシド型界面活性剤等が挙げられる。
【００１８】
【化２】
2007224199.tif 000004
【００１９】
［式中、Ｒ３は炭素数８〜１８であり、好ましくは８〜１６であり、さらに好ましくは１０〜１４の直鎖状もしくは分岐鎖状のアルキル基またはアルケニル基であり；Ｒ４、Ｒ５はそれぞれ独立して炭素数１〜３のアルキル基または炭素数１〜３のヒドロキシアルキル基であり、好ましくはメチル基である。Ｒ６は炭素数１〜４のアルキレン基であり；Ｘは−ＣＯ−ＮＨ−、−ＮＨＣＯ−、−ＣＯＯ−、−ＯＣＯ−及び−Ｏ−から選ばれる基であり；ｎ’は０または１である。］
【００２０】
具体的には、アルキルジメチルアミンオキシド、アルキルアミドプロピルジメチルアミンオキシド等が挙げられる。中でも、泥汚れ等に対する洗浄力向上の点から、アルキルジメチルアミンオキシドであることが好ましく、特に好ましくはｎ−ドデシルジメチルアミンオキシドである。ｎ−ドデシルジメチルアミンオキシドは、例えばライオンアクゾ（株）製のもの等が市販されている。
【００２１】
両性界面活性剤としては、例えばＮ−アルキルもしくはアルケニルアミノ酸またはその塩と、ベタインが挙げられる。
Ｎ−アルキルもしくはアルケニルアミノ酸は、窒素原子にアルキル基またはアルケニル基が結合し、さらに１つまたは２つの「−Ｒ−ＣＯＯＨ」（式中、Ｒは２価の炭化水素基を示し、好ましくはアルキレン基であり、特に炭素数１〜２であることが好ましい。）で表される基が結合した構造を有する。「−Ｒ−ＣＯＯＨ」が１つ結合した化合物においては、窒素原子にはさらに水素原子が結合している。
「−Ｒ−ＣＯＯＨ」が１つのものをモノ体、２つのものをジ体という。（Ｃ）成分においては、これらモノ体、ジ体のいずれも用いることができる。
Ｎ−アルキルもしくはアルケニルアミノ酸において、アルキル基、アルケニル基の炭素数は１０〜２０であることが好ましく、これらは直鎖状であっても分岐鎖状であってもよい。
塩としては、ナトリウム、カリウム等のアルカリ金属塩であることが好ましく、ナトリウム塩であることが好ましい。
Ｎ−アルキルもしくはアルケニルアミノ酸またはその塩において、好ましいものとしては、アルキルもしくはアルケニルアミノプロピオン酸またはその塩が挙げられ、ラウリルアミノプロピオン酸またはそのナトリウム塩がより好ましい。
市販品としては、例えばラウリルアミノプロピオン酸Ｎａ（一方社油脂工業（株）製）等が挙げられる。これは、モノ体とジ体が９０質量％：１０質量％の混合物である。
【００２２】
ベタインとしては、アルキルベタイン、カルボベタイン、アミドベタイン、スルホベタイン、アミドスルホベタイン、イミダゾリニウムベタイン、ホスホベタイン等が挙げられる。具体的には、ラウリン酸アミドプロピルベタイン等の脂肪酸アミドプロピルベタイン、２−アルキル−Ｎ−カルボキシメチル−Ｎ−ヒドロキシエチルイミダゾリニウムベタイン、アルキルジメチルアミノ酢酸ベタイン、アルキルヒドロキシスルホベタイン、ラウリルジメチルベタイン等のアルキルジメチルベタイン等が挙げられる。
市販品としては、ラウリン酸アミドプロピルベタイン（商品名「ソフタゾリンＬＰＢ」；川研ファインケミカル（株）製）、ラウリルジメチルベタイン（商品名「アンヒトール２４Ｂ」；花王（株）製）等が挙げられる。
中でもアルキルベタイン、アミドベタイン、スルホベタインが好ましく、特にラウリン酸アミドプロピルベタイン、ラウリルジメチルベタインが好ましい。
【００２３】
（Ｂ）成分としては、中でもＮ−アルキルもしくはアルケニルアミノ酸またはその塩、アルキルベタイン、アミドベタイン、スルホベタインが特に好ましい。
（Ｂ）成分は、１種または２種以上混合して用いることができる。
（Ｂ）成分の含有量は、泥汚れ等に対する洗浄力向上の点から、衣料用液体洗浄剤組成物中、好ましくは０．５〜１０質量％であり、より好ましくは０．５〜５質量％である。また、この範囲であると皮脂汚れに対する洗浄力も向上する。さらに、該範囲の上限値以下であることにより濯ぎ時間が短くなり、濯ぎ性が向上する。
【００２４】
本発明の衣料用液体洗浄剤組成物においては、主な洗浄成分として前記（Ａ）成分と前記（Ｂ）成分が併用される。係る（Ａ）成分と（Ｂ）成分は、被洗物への残留（吸着量）が少ないため、洗濯操作上の濯ぎ段階において、濯ぎ液中の（Ａ）成分と（Ｂ）成分の濃度が低くなることが予想される。
また、（Ａ）成分は、その分子構造から、低濃度で形成されるミセルは不安定であると推測される。そのため、（Ａ）成分は泡安定性が低くなり、これにより（Ｂ）成分との併用系において良好な濯ぎ性が発揮されると考えられる。
以上の理由等から、係る（Ａ）成分と（Ｂ）成分との併用が、本発明の衣料用液体洗浄剤組成物の濯ぎ性の向上に大きく寄与していると推測される。
【００２５】
（Ｃ）成分
本発明において、（Ｃ）成分はキレート剤である。
キレート剤としては、主に水道水中、あるいは汚れに含まれる多価金属イオンを捕捉すると考えられるものであって、これを水に溶かしたときに、多価金属イオンを捕捉する作用を有するものであれば特に制限はないが、例えばトリポリリン酸塩等の無機ポリリン酸塩化合物；１−ヒドロキシエタン−１，１−ジホスホン酸、エタン−１，１−ジホスホン酸またはそれらの塩等のホスホン酸類；クエン酸、リンゴ酸またはそれらの塩等のヒドロキシカルボン酸類；エチレンジアミン四酢酸、ジエチレントリアミノ五酢酸またはそれらの塩等のアミノポリカルボン酸類等が好ましく用いられる。
中でも、有機キレート剤としてホスホン酸系キレート剤、カルボン酸系キレート剤が好ましく、エチレンジアミン四酢酸、１−ヒドロキシエタン−１，１−ジホスホン酸、クエン酸またはそれらの塩がより好ましく、１−ヒドロキシエタン−１，１−ジホスホン酸及び／またはその塩が特に好ましい。
塩としては、ナトリウム塩、カリウム塩等のアルカリ金属塩や、モノエタノールアミン塩、ジエタノールアミン塩等のアルカノールアミン塩等が挙げられる。
（Ｃ）成分としては、中でも１−ヒドロキシエタン−１，１−ジホスホン酸が最も好ましい。
（Ｃ）成分は、１種または２種以上混合して用いることができる。
（Ｃ）成分の含有量は、衣料用液体洗浄剤組成物中、好ましくは０．１〜１０質量％であり、より好ましくは０．１〜５質量％である。該範囲の下限値以上であることにより、特に泥汚れに対する洗浄力が向上する。一方、上限値以下であることにより、（Ｃ）成分をより安定に配合することができる。
【００２６】
その他の任意成分
本発明の衣料用液体洗浄剤組成物には、前記（Ａ）〜（Ｃ）成分以外に必要に応じて、その他の任意成分を配合することができる。
具体的には、例えば、ベンゼンスルホン酸、アルキルベンゼンスルホン酸、ベンゼンスルホン酸塩及びアルキルベンゼンスルホン酸塩から選ばれる１種以上が挙げられる。
アルキルベンゼンスルホン酸、アルキルベンゼンスルホン酸塩においては、アルキル基（置換基）の数は１〜３であることが好ましく、より好ましくは１〜２である。アルキル基としては、炭素数が１〜３であることが好ましく、より好ましくはメチル基、イソプロピル基であり、さらに好ましくはメチル基である。
塩としては、ナトリウム塩、カリウム塩等のアルカリ金属塩；マグネシウム塩、カルシウム塩等のアルカリ土類金属塩；アンモニウム塩；モノエタノールアミン塩、ジエタノールアミン塩、トリエタノールアミン塩等のアルカノールアミン塩などが挙げられる。中でもナトリウム塩、モノエタールアミン塩、ジエタノールアミン塩が好ましい。
中でも、好適なものとして下記一般式（ＩＩＩ）で表される化合物が挙げられる。
【００２７】
【化３】
2007224199.tif 000005
［式中、Ｘ”、Ｙ”、Ｚ”は、それぞれ独立して水素原子、Ｃｎ”Ｈ２ｎ”＋１（ｎ”は１〜３の整数である。）または（ＣＨ３）２ＣＨであり；Ｍは、水素原子、アルカリ金属原子、アルカリ土類金属原子、ＮＨ４＋またはアルカノールアミン類を示す。］
【００２８】
前記一般式（ＩＩＩ）中、Ｘ”、Ｙ”、Ｚ”は、それぞれ独立して水素原子、Ｃｎ”Ｈ２ｎ”＋１（ｎ”は１〜３の整数である。）または（ＣＨ３）２ＣＨであり、好ましくはＣＨ３、（ＣＨ３）２ＣＨであり、より好ましくはＣＨ３である。
Ｍは、水素原子；ナトリウム、カリウム等のアルカリ金属原子；マグネシウム、カルシウム等のアルカリ土類金属原子；ＮＨ４＋；またはモノエタノールアミン、ジエタノールアミン、トリエタノールアミン等のアルカノールアミン類を示し、好ましくはナトリウム、モノエタールアミン、ジエタノールアミンである。
【００２９】
具体的な化合物の例としては、ベンゼンスルホン酸、ベンゼンスルホン酸ナトリウム塩、ベンゼンスルホン酸カリウム塩、ベンゼンスルホン酸アンモニウム塩、ベンゼンスルホン酸マグネシウム塩、ベンゼンスルホン酸カルシウム塩、ベンゼンスルホン酸モノエタノールアミン塩、ベンゼンスルホン酸ジエタノールアミン塩、ベンゼンスルホン酸トリエタノールアミン塩、ｐ−トルエンスルホン酸、ｐ−トルエンスルホン酸ナトリウム塩、ｐ−トルエンスルホン酸カリウム塩、ｐ−トルエンスルホン酸アンモニウム塩、ｐ−トルエンスルホン酸マグネシウム塩、ｐ−トルエンスルホン酸カルシウム塩、ｐ−トルエンスルホン酸モノエタノールアミン塩、ｐ−トルエンスルホン酸ジエタノールアミン塩、ｐ−トルエンスルホン酸トリエタノールアミン塩、ｏ−またはｍ−またはｐ−キシレンスルホン酸、ｏ−またはｍ−またはｐ−キシレンスルホン酸ナトリウム塩、ｏ−またはｍ−またはｐ−キシレンスルホン酸カリウム塩、ｏ−またはｍ−またはｐ−キシレンスルホン酸アンモニウム塩、ｏ−またはｍ−またはｐ−キシレンスルホン酸マグネシウム塩、ｏ−またはｍ−またはｐ−キシレンスルホン酸カルシウム塩、ｏ−またはｍ−またはｐ−キシレンスルホン酸モノエタノールアミン塩、ｏ−またはｍ−またはｐ−キシレンスルホン酸ジエタノールアミン塩、ｏ−またはｍ−またはｐ−キシレンスルホン酸トリエタノールアミン塩、キュメンスルホン酸、キュメンスルホン酸ナトリウム塩、キュメンスルホン酸カリウム塩、キュメンスルホン酸アンモニウム塩、キュメンスルホン酸マグネシウム塩、キュメンスルホン酸カルシウム塩、キュメンスルホン酸モノエタノールアミン塩、キュメンスルホン酸ジエタノールアミン塩、キュメンスルホン酸トリエタノールアミン塩等が挙げられる。
中でもｐ−トルエンスルホン酸、ｍ−キシレンスルホン酸、キュメンスルホン酸もしくはこれらのモノエタノールアミン塩が好ましく、ｐ−トルエンスルホン酸、キュメンスルホン酸、ｍ−キシレンスルホン酸がより好ましい。
これらは、１種または２種以上混合して用いることができる。
これらの含有量は、衣料用液体洗浄剤組成物中、好ましくは１〜１５質量％であり、より好ましくは２〜１０質量％であり、特に好ましくは２〜６質量％である。この範囲にあると、泥がより細かく分散して泥汚れに対する洗浄力が向上する。また、衣料用液体洗浄剤組成物の表面において、該衣料用液体洗浄剤組成物がゲル化することにより形成される皮膜の生成抑制効果も向上する。
【００３０】
また、本発明に係る衣料用液体洗浄剤組成物は、ハイドロトロープ剤やアルカリ剤を含有してもよい。
ハイドロトロープ剤としては、エチレングリコール、プロピレングリコール、ポリエチレングリコール、ポリプロピレングリコール等のグリコール系溶剤やエタノールなどのアルコール等が挙げられる。この中でも、重量平均分子量４００〜５０００（好ましくは１０００程度）のポリエチレングリコール、エタノールが好ましい。
アルカリ剤としては、アルカノールアミン等が挙げられる。アルカノールアミンとしては、例えば、モノエタノールアミン、ジエタノールアミン、トリエタノールアミン等が挙げられ、モノエタノールアミンが好ましい。アルカノールアミンは、１種でも２種以上併用してもよい。
これらハイドロトロープ剤とアルカリ剤の含有量は、それぞれ衣料用液体洗浄剤組成物中、好ましくは１〜１５質量％である。
【００３１】
また、本発明に係る衣料用液体洗浄剤組成物は、抑泡剤として、炭素数８〜２２の脂肪酸及び／またはその塩を０〜１５質量％含有してもよい。
脂肪酸は、その炭素数８〜２２のものが好ましく、例えばカプリル酸、カプリン酸、ラウリン酸、ミリスチン酸、パルミチン酸、ステアリン酸等の飽和脂肪酸；オレイン酸、リノール酸、リノレイン酸等の不飽和脂肪酸のいずれであってもよい。その中でもパルミチン酸が最も好ましい。
塩としては、ナトリウム塩、カリウム塩等のアルカリ金属塩；アンモニウム塩；モノエタノールアミン塩、ジエタノールアミン塩、トリエタノールアミン塩などのアルカノールアミン塩等が挙げられる。
【００３２】
さらに、本発明に係る衣料用液体洗浄剤組成物は、再汚染防止を目的として、ポリビニルピロリドン、カルボキシメチルセルロース等の再汚染防止剤を０〜２質量％；洗浄力向上を目的として、リパーゼ、セルラーゼ、アミラーゼ、プロテアーゼ等の酵素を０〜１質量％；酵素安定化を目的として、ホウ酸、ホウ砂、蟻酸またはその塩、塩化カルシウム、硫酸カルシウム等のカルシウム塩類を０〜３質量％；風合い向上を目的として、ジメチルシリコーン、ポリエーテル変性シリコーン、アミノ変性シリコーン等のシリコーンを０〜５質量％；白色衣料の白度向上を目的として、ジスチリルビフェニル型等の蛍光増白剤を０〜１質量％；液体洗浄剤組成物の着色を目的として、酸性染料等の色素を０．０００１〜０．００１質量％；香気安定化を目的として、ジブチルヒドロキシトルエン等の酸化防止剤を０．０００１〜０．５質量％；防腐性を目的として、ケーソンＣＧ（商品名）等の抗菌剤を０〜０．０５質量％等を配合することができる。
また、芳香のための香料としては、特開２００２−１４６３９９号公報に記載の香料成分、溶剤及び安定化剤を含有する香料組成物等が挙げられ、本発明の衣料用液体洗浄剤組成物中に０．０１〜１質量％を配合することができる。
【００３３】
さらに、ｐＨ調整剤として、硫酸、水酸化ナトリウム、水酸化カリウム等の無機酸及び無機塩基を配合することができる。
本発明の衣料用液体洗浄剤組成物のｐＨは、衣料用液体洗浄剤組成物の経時安定性向上の点から、好ましくはｐＨ４．０〜１０．０、より好ましくはｐＨ４．０〜８．０に調整する。
【００３４】
本発明の衣料用液体洗浄剤組成物は、好適には水を溶剤として、常法に基づいて調製することができる。
使用方法は、通常の使用方法、すなわち本発明の衣料用液体洗浄剤組成物（本発明品）を、洗濯時に洗濯物と一緒に水に投入する方法、泥汚れや皮脂汚れに本発明品を直接塗る方法、本発明品を予め水に溶かして衣類を浸漬する方法等が挙げられる。また、本発明品を洗濯物に塗布後、適宜放置し、その後、通常の洗濯液を用いて通常の洗濯を行う方法も好ましい。  
【００３５】
本発明によれば、前記（Ａ）成分、前記（Ｂ）成分及び前記（Ｃ）成分を含有することにより、濯ぎ性に優れた衣料用液体洗浄剤組成物を提供することができる。
また、本発明の衣料用液体洗浄剤組成物は、泥汚れに対する洗浄力にも優れる。
また、本発明において用いられる（Ａ）成分は、液安定性（特に低温での経時安定性）に優れることから、衣料用液体洗浄剤組成物の調製において、一般的に使用される汎用界面活性剤を用いた場合に比べてハイドロトロープ剤の添加量を少なくすることができる。これにより、該（Ａ）成分を含有する衣料用液体洗浄剤組成物は、経済的に有利であり、また、環境負荷が低いものである。
また、本発明において用いられる（Ａ）成分は、植物由来の原料から得られるものである。これにより、本発明は、ＣＯ２の削減など、環境負荷が低い衣料用液体洗浄剤組成物を提供することができる。
また、本発明の衣料用液体洗浄剤組成物は、例えば該衣料用液体洗浄剤組成物により洗濯された衣料等を着用したとき、該衣料等の肌に対するマイルド性が良好である。
【実施例】
【００３６】
以下に実施例を用いて本発明をさらに詳しく説明するが、本発明はこれら実施例に限定されるものではない。なお、「％」は特に断りがない限り「質量％」を示す。
【００３７】
（実施例１〜１４、比較例１）
表１〜３に示す組成の衣料用液体洗浄剤組成物を、以下の様にして調製した。
なお、表中の配合量の単位は質量％であり、総量が１００質量％となるように水量を調整した。
まず、（Ａ）成分とポリエチレングリコールを５０℃以下で撹拌、溶解した後、４０℃以下まで冷却した。その後の工程は、すべて室温〜４０℃の間で行った。
その後、ｐ−トルエンスルホン酸またはキュメンスルホン酸またはｍ−キシレンスルホン酸と、モノエタノールアミンまたはジエタノールアミンを加え、撹拌した。
その後、精製水（バランス）の全質量の９０質量％分を加え、香料を入れて撹拌した。
さらに、（Ｂ）成分、（Ｃ）成分その他の任意成分を入れ、撹拌した後、ｐＨを調整し、残りの精製水を加えて衣料用液体洗浄剤組成物を調製した。
ｐＨの調整は、衣料用液体洗浄剤組成物の２５℃でのｐＨが７．０となるように、ｐＨ調整剤（水酸化ナトリウムまたは硫酸）を適宜添加することにより行った。
【００３８】
得られた衣料用液体洗浄剤組成物について、以下に示す方法及び評価基準によって評価を行い、その結果を表１〜３に併記した。
【００３９】
≪表中に示した成分の説明≫
（Ａ）成分
Ａ−１：Ｃ１１Ｈ２３ＣＯ（ＯＣ２Ｈ４）９ＯＣＨ３、ナロー率  ７０質量％、合成品。
Ａ−２：Ｃ１１Ｈ２３ＣＯ（ＯＣ２Ｈ４）１５ＯＣＨ３、ナロー率  ６５質量％、合成品。
Ａ−３：Ｃ１７Ｈ３３ＣＯ（ＯＣ２Ｈ４）１５ＯＣＨ３、ナロー率  ６５質量％、合成品。
なお、Ａ−１、Ａ−２およびＡ−３は、特開２０００−１４４１７９号公報に記載の合成方法に準じて製造した合成品である（Ａ−１は特開２０００−１４４１７９号公報に記載のサンプルＢに対応するものである。同様に、Ａ−２は同公報に記載のサンプルＤ、Ａ−３は同公報に記載のサンプルＦにそれぞれ対応するものである。）。
【００４０】
Ａ−４（比較品）：ＣｎＨ２ｎ＋１Ｏ（ＥＯ）１５Ｈ（ｎが１２の化合物と、ｎが１４の化合物との混合物（混合割合は質量比で７１：２９）である。）、合成品。
（Ａ−４の合成方法）
Ｐ＆Ｇ製のＣ１２／１４アルコール（分岐率＊１  ０質量％）２２４．４ｇ、３０質量％ＮａＯＨ水溶液２．０ｇを、耐圧型反応容器中に採取し、容器内を窒素置換した。
次に、温度１００℃、圧力２．０ｋＰａ以下で３０分間脱水してから、温度を１６０℃まで昇温した。アルコールを攪拌しながら酸化エチレン（ガス状）７６３．６ｇを吹き込み管を使って、反応温度が１８０℃を超えないように添加速度を調整しながらアルコールの液中に徐々に加えた。
酸化エチレンの添加終了後、温度１８０℃、圧力０．３ＭＰａ以下で３０分間熟成した後、温度１８０℃、圧力６．０ｋＰａ以下で１０分間未反応の酸化エチレンを留去した。
次に、温度を１００℃以下まで冷却した後、反応物の１質量％水溶液のｐＨが約７になるように、７０質量％ｐ−トルエンスルホン酸を加えて中和し、Ａ−４を得た。
＊１分岐率：分岐率とは、原料アルコール中、全体のアルコールのモル数に対する、分岐アルキル基をもつアルコールのモル数の割合を示す。
【００４１】
（Ｂ）成分
Ｂ−１：ラウリルアミノプロピオン酸Ｎａ、一方社油脂工業（株）製。
Ｂ−２：ラウリン酸アミドプロピルベタイン、川研ファインケミカル（株）製、商品名「ソフタゾリン  ＬＰＢ」。
Ｂ−３：ラウリルジメチルベタイン、花王（株）製、商品名「アンヒトール２４Ｂ」。
【００４２】
（Ｃ）成分
Ｃ−１：１―ヒドロキシエタン−１，１−ジホスホン酸、アルブライトアンドウィルソン（ＡＬＢＲＩＴＥ＆ＷＩＬＳＯＮ）製、商品名「ブリクウェスト（ＢＲＩＱＵＥＳＴ）ＡＤＰＡ−Ａ」。
Ｃ−２：クエン酸３ナトリウム２水塩、マイルス社（米国）製。
Ｃ−３：エデト酸（エチレンジアミン四酢酸）四ナトリウム四水塩、アクゾノーベル社製。
【００４３】
任意成分
ｐ−トルエンスルホン酸：協和発酵工業（株）製。
キュメンスルホン酸：テイカ（株）製、商品名「テイカトックス  ５００」。
ｍ−キシレンスルホン酸：三菱ガス化学（株）製、商品名「ＳＸＡ−６０」。
モノエタノールアミン：（株）日本触媒製。
ジエタノールアミン：（株）日本触媒製。
パルミチン酸：日本油脂（株）製。
エタノール：ＮＥＤＯ製、商品名「９５ｖｏｌ％合成エタノール」。
ポリエチレングリコール：日本油脂（株）製、商品名「ＰＥＧ＃１０００」（重量平均分子量１０００）。
香料組成物Ａ、Ｃ：特開２００２−１４６３９９号公報の表１１〜１８に記載の香料組成物。
色素Ａ：癸巳化成（株）製、商品名「緑色２０１」。
色素Ｂ：癸巳化成（株）製、商品名「黄色２０３」。
水酸化ナトリウム：鶴見曹達（株）製。
硫酸：東邦亜鉛（株）製。
【００４４】
≪濯ぎ性の評価≫
各衣料用液体洗浄剤組成物０．６ｇを、９００ｍｌの水に溶かして試料液とし、２５℃での泡切れ性を測定した。測定は、Ｒｏｓｓ−Ｍｉｌｅｓ試験装置を用い、ＪＩＳ Ｋ３３６２の測定法に準拠して行った。
泡切れ性は、下記数式により算出し、以下に示す基準に基づいて評価した。
泡切れ性（％）＝（滴下終了から５分後の泡高）／（滴下終了直後の泡高）×１００
泡切れ性の評価基準
◎：５０％未満。
○：５０％以上７０％未満。
△：７０％以上９０％未満。
×：９０％以上。
【００４５】
≪泥汚れに対する洗浄力の評価≫
園芸用黒土（ｋｙｏｔｏｃｈｉｙａ製）１５ｇを秤量し、水道水５００ｇ中に投入し、ホモジナイザ−（ＫＩＮＥＭＡＴＩＣＡスイス社製、商品名：ポリトロン  Ｔｙｐｅ  ＰＴ  １０／３５）にて、８０ｒｐｍで約５分間分散させた。
得られた泥分散液中に、１０ｃｍ×２５ｃｍに裁断した綿メリヤスニット布（（株）谷頭商店製  染色試材、綿ニット未シル晒）（以下、「原布」という。）１５枚を浸漬させ、布を手で良く揉み、布全体に均一に泥分散液を含ませた。そして、その布を取り出し、ローラーで軽く絞った。１時間自然乾燥させた後、１０５℃の恒温槽にて、さらに１時間乾燥させた。
最後に、布表面をウレタンスポンジで擦り、余分な泥粒子を落としたものをモデル泥汚れ布として、評価に供した。
上記で調製した各モデル泥汚れ布を５枚（各２×２ｃｍ２）に分断し、これを評価布（汚垢布）として、実験に使用した。
洗浄方法は、以下の方法を適用した。すなわち、汚垢布５枚あたり衣料用液体洗浄剤組成物０．６ｇを塗布し、５分間放置後、５枚の汚垢布をそのままＴｅｒｇ−Ｏ−Ｔｏｍｅｔｅｒ（洗浄試験機）に投入し、２０℃水道水（硬度３ＤＨ）０．９Ｌを入れ、１２０ｒｐｍで１０分間撹拌した後、二槽式洗濯機（三菱電機（株）製、品番：ＣＷ−Ｃ３０Ａ１−Ｈ１）に移し、１分間脱水した。その後、１分間流水すすぎ、１分間脱水をした後、風乾した。
【００４６】
泥汚れに対する洗浄力は、汚れ付着前の原布及び洗浄前後の汚垢布のＺ値を、測色色差計（日本電色社製、商品名：ＳＥ２０００）を用いて測定し、次式により洗浄率として算出した。
評価には、各衣料用液体洗浄剤組成物に対して５枚の評価布における平均値を用いた。
【００４７】
洗浄率（％）＝（洗浄後の汚垢布のＺ値−洗浄前の汚垢布のＺ値）／（原布のＺ値−洗浄前の汚垢布のＺ値）×１００
【００４８】
泥汚れに対する洗浄力の評価は、以下に示す基準に基づいて評価した。
Ａ：洗浄率が２５％を超える。
Ｂ：洗浄率が２０〜２５％である。
Ｃ：洗浄率が１５〜２０％未満である。
Ｄ：洗浄率が１５％未満である。
【００４９】
【表１】
2007224199.tif 000006
【００５０】
【表２】
2007224199.tif 000007
【００５１】
【表３】
2007224199.tif 000008
【００５２】
表１〜３に示した結果から明らかな様に、本発明に係る実施例は、いずれも濯ぎ性に優れていることが確認できた。
また、実施例は、泥汚れに対する洗浄力についても優れていることが確認された。
一方、比較例は、濯ぎ性が悪かった。